(57)【要約】【課題】マザーボードコネクタにプリント基板コネクタを接続した状態で、プリント基板にストレスをかけることなく、このプリント基板を筐体に取り付けることができるようにすること。【解決手段】ＭＤＥユニット１１０は、ＭＤＥケース１１４とＭＤＥカバー１１５とからなる筐体内に、ＣＮＴ基板Ｐ１、ＴＲＸ基板Ｐ２、ＢＢ０基板Ｐ３、ＢＢ１基板Ｐ４、マザーボード１１１、端子基板１１２及びＭＤＥファン１１３を収容している。ＣＮＴ基板Ｐ１、ＴＲＸ基板Ｐ２及びＢＢ１基板Ｐ４のそれぞれのコネクタＣ１、Ｃ２、Ｃ４と、マザーボード１１１のコネクタＣ５、Ｃ６、Ｃ８とは、基板プレート１１６のプレート面に対して垂直な方向から着脱されるようにそれぞれ配設され、ＣＮＴ基板Ｐ１、ＴＲＸ基板Ｐ２及びＢＢ１基板Ｐ４の着脱方向が、基板プレート１１６のＭＤＥケース１１４に対するネジ止め方向と同一方向になる。【選択図】      図５
2005005542.tif 000002
【特許請求の範囲】
【請求項１】
筐体に取り付けられる複数のプリント基板に配設されたそれぞれのプリント基板コネクタが接続される複数のマザーボードコネクタが配設されたマザーボードであって、
前記マザーボードコネクタに対する前記プリント基板コネクタの着脱方向と、前記筐体に対する前記プリント基板の取り付け方向とを、同一方向になるように構成したことを特徴とするマザーボード。
【請求項２】
前記複数のプリント基板が、送受信信号を変復調するための基地局変復調装置における制御装置を構成するＣＮＴ基板、送受信カードを構成するＴＲＸ基板、ベースバンド信号処理機能部を構成する標準装備用のＢＢ０基板、ベースバンド信号処理機能部を構成する増設用のＢＢ１基板であることを特徴とする請求項１記載のマザーボード。
【請求項３】
前記筐体は、筐体ケースと、前記筐体ケースに対して開閉自在に取り付けられた筐体カバーとで構成され、前記増設用のＢＢ１基板は前記筐体カバーが解放された状態で露呈する部位に配設されることを特徴とする請求項１または請求項２記載のマザーボード。
【請求項４】
請求項１、請求項２または請求項３記載のマザーボードを具備することを特徴とする基地局装置。
【請求項５】
前記マザーボードが取り付けられる筐体内の温度を管理するための冷却ファンを備え、
前記マザーボードに装着される複数のプリント基板のうち、面積の小さな小サイズのプリント基板を前記筐体の中央部位に配設して、前記小サイズのプリント基板と前記筐体との間に、前記冷却ファンの通気流路を形成したことを特徴とする請求項４記載の基地局装置。
【請求項６】
前記複数のマザーボードコネクタに対して前記複数のプリント基板コネクタが接続された状態で、前記複数のプリント基板の少なくとも１つを冷却する放熱部材を具備していることを特徴とする請求項４または請求項５記載の基地局装置。
【請求項７】
前記放熱部材は、ヒートパイプを備えていることを特徴とする請求項６記載の基地局装置。
【発明の詳細な説明】
【０００１】
【発明の属する技術分野】
本発明は、複数のプリント基板に配設されたそれぞれのプリント基板コネクタが接続される複数のマザーボードコネクタが配設された筐体に取り付けられるマザーボードに関し、特に通信システムの無線基地局装置に用いるのに好適なマザーボード及び基地局装置に関する。
【０００２】
【従来の技術】
近年、携帯電話加入者の急速な増大に伴って、音声通信だけでなく、データや音楽及び映像などのサービスの要望に応えることができる移動体通信システムの通信エリアの迅速な拡張が求められている。この移動体通信システムの通信エリアの拡張は、周知のように、ＢＴＳ（Ｂａｓｅ  Ｔｒａｎｓｃｅｉｖｅｒ  Ｓｔａｔｉｏｎ：無線基地局装置）を通信信号が届かない不感地帯に設置することで行われる。
【０００３】
この移動体通信システムの無線基地局装置（以下、単に「基地局装置」という）は、一般的に、高さが２メートル弱の筐体（または架台）に、種々の機器を収納して構成されたチャネル数が数百から数千チャネルの大容量かつ大重量の大型なものが多く使用されている（例えば、特許文献１参照）。
【０００４】
図２９は、従来の大容量の基地局装置の一例の外観を示す斜視図である。図２９に示した基地局装置１０は、高さ１８００ｍｍ、幅８００ｍｍ、奥行き６００ｍｍの架台１１に、Ｔ−ＰＡ（Ｔｒａｎｓｍｉｓｓｉｏｎ  Ｐｏｗｅｒ  Ａｍｐｌｉｆｉｅｒ：送信増幅装置）１２、Ｔ−ＰＡファン１３、ＭＤＥ（Ｍｏｄｕｒａｔｉｏｎ  ａｎｄ  Ｄｅｍｏｄｕｒａｔｉｏｎ  Ｅｑｕｉｐｍｅｎｔ：基地局変復調装置）１４、ＭＤＥファン１５などの種々の機器を収納した構成を有している。
【０００５】
従来、この種の大容量の基地局装置を屋外に設置する場合は、例えば、１００ｍ２程度の土地を確保して土台を築き、この土台上に重機を用いて基地局装置本体を据え付け、基部をアンカーで固定して設置した後、その周囲にフェンスを張って保全するようにしている。このため、このような大容量の基地局装置を不感地帯に設置して通信エリアの拡張を図るには、多額の導入コストと運用コストとを必要としている。
【０００６】
【特許文献１】
特開２００１−１１１４３６号公報
【０００７】
【発明が解決しようとする課題】
ところが、加入者数の多い都市部と比較して加入者数が少ない山間部などの不感地帯に、前記従来の大容量の基地局装置を設置して通信エリアを拡張する場合には、都市部のような高利用率を望めない可能性が高いため、その導入コスト及び運用コストの低減が大きな課題として浮上してきている。
【０００８】
このような課題を解決する手段の１つとして、例えば、加入者数が多い都市部には従来通り大容量の基地局装置を設置し、比較的加入者数が少ない山間部などの不感地帯には比較的安価で小型な小容量の基地局装置を設置して、通信システム全体としての導入コスト及び運用コストの増大を抑制しつつ、通信エリアの拡張を図ることが考えられる。
【０００９】
ところが、この種の従来の基地局装置は、例えば、チャネル数が数十チャネルのＢＢ（Ｂａｓｅ  Ｂａｎｄ  ｓｉｇｎａｌ  ｐｒｏｃｅｓｓｏｒ：ベースバンド信号処理機能部）基板を１つだけ使用した極めて小型で小容量の基地局装置を構成した場合であっても、その基地局装置本体の重量及び大きさは相当なものになる。
【００１０】
このため、このような小容量の基地局装置を使用して通信エリアの拡大を図るようにしても、その設置工事にはそれ相応の設置用機材と最低でも数名の作業者とを必要とする。特に、目的地まで工事車両が入ることができないような山間部に基地局装置を配置する場合には、設置用機材や基地局装置本体を人手によって設置部位まで運び込む必要があるため、より多くの人手と時間を要する。
【００１１】
従って、単に小型化しただけの従来の小容量の基地局装置を使用して通信エリアを拡張した場合には、その導入コストの削減や通信エリアの容易かつ迅速な拡張をさほど見込めないおそれが高い。
【００１２】
一方、この種の基地局装置は、その設置時に初期不良を起こすことが多々ある。このような不具合で通信回線の開通が遅延することは、通信システム全体の立ち上げを遅らせ多大な不利益を生む原因となる。
【００１３】
そこで、このような不具合が発生した場合には、通常、不具合を起こした基地局装置を修理することはせず、新たな基地局装置との交換工事を行って通信回線を速やかに復旧させるようにしている。
【００１４】
しかしながら、このような基地局装置の交換工事は、不具合を起こした基地局装置を取り外した後、交換用の基地局装置を設置する作業となる。このため、このような交換工事は、基地局装置を新規に設置する場合の新設工事と比較して約倍近い労力と時間がかかる。
【００１５】
上述のように、この種の従来の基地局装置は、その導入に際して多大なコストと労力とを必要としていた。
【００１６】
そこで、本発明者は、このような問題を解決するために、前記基地局装置本体が、少なくとも、設置部位に定置される一人で持ち運び可能な重量及び大きさの本体ユニットと、前記本体ユニットに対して着脱自在に構成した一人で持ち運び可能な重量及び大きさの着脱ユニットと、に分割される構成を採る基地局装置を提案するに至った。
【００１７】
この基地局装置によれば、基地局装置本体が、一人で持ち運び可能な重量及び大きさの本体ユニットと着脱ユニットとに分割されるので、ビルの各階や地下街及び山間地などの設置が難しいとされていた不感地帯にも、基地局装置を人手や特別な設置用機材を必要とせずに一人で設置することができる。従って、この基地局装置によれば、多額の導入コストをかけずに基地局装置を設置でき、通信エリアを容易かつ迅速に拡張することができる。また、この基地局装置によれば、基地局装置本体が本体ユニットと着脱ユニットとに分割されたことにより、基地局装置全体の放熱面積が増大し、基地局装置に配設される冷却装置の小型化及び軽量化を図ることができる。
【００１８】
ところで、この種の基地局装置においては、前記本体ユニットまたは前記着脱ユニットなどの筐体に配設される複数のプリント基板が、これらのプリント基板に配設されたそれぞれのプリント基板コネクタを、前記筐体に取り付けられたマザーボードの複数のマザーボードコネクタに接続することによって配設された構成を有している。
【００１９】
ところが、この種の従来の基地局装置におけるマザーボードは、このマザーボードの複数のマザーボードコネクタに接続される前記複数のプリント基板のそれぞれのプリント基板コネクタの接続方向と、前記複数のプリント基板の前記筐体への取り付け方向とが、互いに直交した方向になっていた。
【００２０】
このため、この従来のマザーボードでは、そのマザーボードコネクタに前記複数のプリント基板のそれぞれのプリント基板コネクタを接続した状態で、このプリント基板を前記筐体に取り付けた際に、このマザーボードコネクタとプリント基板コネクタとの配設位置の誤差により、前記プリント基板に大きなストレスがかかり、このストレスによって前記プリント基板が不具合を起こし易くなるおそれがあった。
【００２１】
本発明は、かかる点に鑑みてなされたものであり、マザーボードコネクタにプリント基板コネクタを接続した状態で、プリント基板にストレスをかけることなく、このプリント基板を筐体に取り付けることができるマザーボード及び基地局装置を提供することを目的とする。
【００２２】
【課題を解決するための手段】
請求項１のマザーボードは、筐体に取り付けられる複数のプリント基板に配設されたそれぞれのプリント基板コネクタが接続される複数のマザーボードコネクタが配設されたマザーボードであって、前記マザーボードコネクタに対する前記プリント基板コネクタの着脱方向と、前記筐体に対する前記プリント基板の取り付け方向とを、同一方向になるようにした構成を採る。
【００２３】
この構成によれば、前記プリント基板コネクタの前記マザーボードコネクタに対する着脱方向と、前記筐体に対する前記プリント基板の取り付け方向とが、同一方向になるので、前記マザーボードコネクタに前記プリント基板コネクタを接続した状態で、前記プリント基板にストレスをかけることなく、このプリント基板を前記筐体に取り付けることができる。
【００２４】
請求項２のマザーボードは、請求項１記載の発明において、前記複数のプリント基板が、送受信信号を変復調するための基地局変復調装置における制御装置を構成するＣＮＴ基板、送受信カードを構成するＴＲＸ基板、ベースバンド信号処理機能部を構成する標準装備用のＢＢ０基板、ベースバンド信号処理機能部を構成する増設用のＢＢ１基板である構成を採る。
【００２５】
前記基地局変復調装置における制御装置を構成するＣＮＴ基板、送受信カードを構成するＴＲＸ基板、ベースバンド信号処理機能部を構成する標準装備用のＢＢ０基板、ベースバンド信号処理機能部を構成する増設用のＢＢ１基板は、設置時に初期不良を起こすことが多々ある。このようなプリント基板が、その筐体への取り付け時にのストレスが原因となって不具合を起こした場合には、その不具合の原因を直ぐに突き止めることが難しく、新たなプリント基板を交換して取り付けた際に、交換したばかりのプリント基板が再び同じ不具合を引き起こす可能性が極めて高い。この構成によれば、このような基地局変復調装置における各種のプリント基板が、前記マザーボードを用いて筐体に取り付けられるので、これらのプリント基板の筐体への取り付け時のストレスによる不具合の発生を防止できるようになる。従って、この構成によれば、請求項１記載の発明の効果に加えて、新たなプリント基板を交換して取り付けた際に、交換したばかりのプリント基板が前記ストレスにより再び同じ不具合を引き起こすことがなくなる。
【００２６】
請求項３のマザーボードは、請求項１または請求項２記載の発明において、前記筐体は、筐体ケースと、前記筐体ケースに対して開閉自在に取り付けられた筐体カバーとで構成され、前記増設用のＢＢ１基板は前記筐体カバーが解放された状態で露呈する部位に配設される構成を採る。
【００２７】
この構成によれば、前記増設用のＢＢ１基板は前記筐体カバーが解放された状態で露呈する部位に配設されているので、請求項１または請求項２記載の発明の効果に加えて、この増設用のＢＢ１基板の着脱作業を容易に行うことができる。
【００２８】
請求項４の基地局装置は、請求項１、請求項２または請求項３記載のマザーボードを具備する構成を採る。
【００２９】
この構成によれば、請求項１、請求項２または請求項３記載のマザーボードを具備しているので、不具合の発生し難い通信システムを構成することができる。
【００３０】
請求項５の基地局装置は、請求項４記載の発明において、前記マザーボードが取り付けられる筐体内の温度を管理するための冷却ファンを備え、前記マザーボードに装着される複数のプリント基板のうち、面積の小さな小サイズのプリント基板を前記筐体の中央部位に配設して、前記小サイズのプリント基板と前記筐体との間に、前記冷却ファンの通気流路を形成した構成を採る。
【００３１】
この構成によれば、面積の小さな小サイズのプリント基板が前記筐体の中央部位に配設されて、前記小サイズのプリント基板と前記筐体との間に、前記冷却ファンの通気流路が形成されるので、請求項４記載の発明の効果に加えて、前記冷却ファンによる前記筐体内部に配設されている各プリント基板を効率よく冷却することができ、各プリント基板の熱による不具合の発生を抑制することができる。
【００３２】
請求項６の基地局装置は、請求項４または請求項５記載の発明において、前記複数のマザーボードコネクタに対して前記複数のプリント基板コネクタが接続された状態で、前記複数のプリント基板の少なくとも１つを冷却する放熱部材を具備している構成を採る。
【００３３】
この構成によれば、前記複数のマザーボードコネクタに対して前記複数のプリント基板コネクタが接続された状態で、前記複数のプリント基板の少なくとも１つが前記放熱部材により冷却されるので、請求項４または請求項５記載の発明の効果に加えて、前記プリント基板の熱による不具合の発生をさらに抑制することができる。なお、前記マザーボードを使用せずに、複数のプリント基板同士の各プリント基板コネクタを互いに重ね合わせるように接続して、これらのプリント基板を前記筐体に取り付けた場合も、前記ストレスを解消することが可能になる。しかしながら、このような構成では、各プリント基板コネクタのバスのピン数が多くなり、また、各プリント基板同士の間隔も狭くなるため、前記放熱部材の配設が困難になり、各プリント基板の放熱性が低下する不具合がある。これに対し、この構成によれば、前記マザーボードを使用して各プリント基板コネクタを接続しているので、それらのプリント基板のバスのピン数を少なくでき、また、各プリント基板同士の間隔も自由に広げることができるので、前記放熱部材の配設の自由度が向上し、各プリント基板の放熱性も向上させることができる。
【００３４】
請求項７の基地局装置は、請求項６記載の発明において、前記放熱部材は、ヒートパイプを備えている構成を採る。
【００３５】
この構成によれば、前記放熱部材がヒートパイプを備えているので、請求項６記載の発明の効果に加えて、前記プリント基板の放熱性をさらに向上させることができる。
【００３６】
【発明の実施の形態】
本発明の骨子は、マザーボードコネクタに対するプリント基板コネクタの着脱方向と、筐体に対する前記プリント基板の取り付け方向とを、同一方向になるように構成したことである。
【００３７】
以下、本発明の一実施の形態について、図面を参照して詳細に説明する。図１は、本発明の一実施の形態に係るマザーボードを使用した基地局装置の構成を示すブロック図である。図２は、この基地局装置１００の外観を示す斜視図である。
【００３８】
この基地局装置１００は、図１及び図３に示すように、送受信信号の変復調を行う基地局変復調装置（ＭＤＥ）を備えたＭＤＥユニット１１０、外部ケーブルに接続される機器のインターフェースを備えたＩＦユニット１２０、基地局装置１００の内部機器を冷却する熱交換機としての冷却用ファンを備えたＦＡＮユニット１３０、及び送受信信号を増幅する送受信増幅装置Ｔ−ＰＡを備えたＴ−ＰＡユニット１４０の４つのユニットに大きく分割された構成を有している。
【００３９】
ここで、ＭＤＥユニット１１０は、図１に示すように、制御装置を構成するプリント基板からなるＣＮＴ基板Ｐ１、送受信カードを構成するプリント基板からなるＴＲＸ基板Ｐ２、ベースバンド信号処理機能部を構成する標準装備用のプリント基板からなるＢＢ０基板Ｐ３、ベースバンド信号処理機能部を構成するプリント基板からなる増設用のＢＢ１基板Ｐ４、これらの電子回路基板が装着されるマザーボード１１１、マザーボード１１１に装着される端子基板１１２、及びＭＤＥユニット１１０の内部温度を管理する熱交換機としてのＭＤＥファン１１３を具備している。
【００４０】
また、ＩＦユニット１２０は、図１に示すように、端子基板１２１、電源装置１２２及び共用器１２３を具備している。
【００４１】
さらに、ＦＡＮユニット１３０及びＴ−ＰＡユニット１４０は、図３に示すように、それぞれ単体で構成されている。
【００４２】
そして、ＭＤＥユニット１１０のＣＮＴ基板Ｐ１は、そのコネクタＣ１及びマザーボード１１１のコネクタＣ５を介して、マザーボード１１１に接続されている。ＴＲＸ基板Ｐ２は、その基板Ｃ２及びマザーボード１１１のコネクタＣ６を介して、マザーボード１１１に接続されている。ＢＢ０基板Ｐ３は、そのコネクタＣ３及びマザーボード１１１のコネクタＣ７を介して、マザーボード１１１に接続されている。ＢＢ１基板Ｐ４は、そのコネクタＣ４及びマザーボード１１１のコネクタＣ８を介して、マザーボード１１１に接続されている。
【００４３】
マザーボード１１１は、そのコネクタＣ９及び端子基板１１２のコネクタＣ１０介して、端子基板１１２に接続されている。また、マザーボード１１１は、ＭＤＥユニット１１０のコネクタＣ１２及びＩＦユニット１２０のコネクタＣ１５を介して、ＩＦユニット１２０の電源装置１２２に接続されている。
【００４４】
端子基板１１２は、ＭＤＥユニット１１０のコネクタＣ１１及びＩＦユニット１２０のコネクタＣ１４を介して、ＩＦユニット１２０の端子基板１２１に接続されている。また、端子基板１１２は、ＭＤＥユニット１１０のコネクタＣ１２及びＩＦユニット１２０のコネクタＣ１５を介して、ＩＦユニット１２０の電源装置１２２に接続されている。
【００４５】
ＭＤＥファン１１３は、ＭＤＥユニット１１０の端子基板１１２に接続されている。
【００４６】
ＦＡＮユニット１３０は、ＩＦユニット１２０の端子基板１２１に接続されている。
【００４７】
Ｔ−ＰＡユニット１４０は、そのコネクタＣ２０及びＩＦユニット１２０のコネクタＣ１７を介して、ＩＦユニット１２０の電源装置１２２及び端子基板１２１にそれぞれ接続されている。また、Ｔ−ＰＡユニット１４０は、そのコネクタＣ２１及びＩＦユニット１２０のコネクタＣ１８、並びにＩＦユニット１２０のコネクタＣ１６及びＭＤＥユニット１１０のコネクタＣ１３を介して、ＭＤＥユニット１１０のＴＲＸ基板Ｐ２に接続されている。さらに、Ｔ−ＰＡユニット１４０は、そのコネクタＣ２２及びＩＦユニット１２０のコネクタＣ１９を介して、ＩＦユニット１２０の共用器１２３に接続されている。
【００４８】
具体的には、ＭＤＥユニット１１０は、図４、図５及び図６に示すように、ＭＤＥケース１１４とＭＤＥカバー１１５とからなる筐体内に、前述したＣＮＴ基板Ｐ１、ＴＲＸ基板Ｐ２、ＢＢ０基板Ｐ３、ＢＢ１基板Ｐ４、マザーボード１１１、端子基板１１２及びＭＤＥファン１１３を収容した構成を有している。
【００４９】
そして、マザーボード１１１は、図５及び図６に示すように、マザー取り付け金具１１７を介して、基板プレート１１６に取り付けられている。この基板プレート１１６は、ＭＤＥケース１１４にネジ止めされている。
【００５０】
ここで、ＣＮＴ基板Ｐ１、ＴＲＸ基板Ｐ２及びＢＢ１基板Ｐ４のそれぞれのコネクタＣ１、Ｃ２、Ｃ４と、マザーボード１１１のコネクタＣ５、Ｃ６、Ｃ８とは、基板プレート１１６のプレート面に対して垂直な方向から着脱されるようにそれぞれ配設されている。
【００５１】
これにより、ＣＮＴ基板Ｐ１、ＴＲＸ基板Ｐ２及びＢＢ１基板Ｐ４の着脱方向が、基板プレート１１６のＭＤＥケース１１４に対するネジ止め方向と同一方向になり、基板プレート１１６をＭＤＥケース１１４にネジ止めした際に、ＣＮＴ基板Ｐ１、ＴＲＸ基板Ｐ２及びＢＢ１基板Ｐ４にストレスがかかることがなくなり、これらの基板装着時における初期不良の発生が防止される。
【００５２】
なお、ＢＢ０基板Ｐ３は、基板プレート１１６のプレート面に対して平行な方向から着脱されるようになっているが、そのコネクタＣ３が基板プレート１１６に予め位置決めされて取り付けられたマザーボード１１１のコネクタＣ７に対して着脱されるので、その装着時にストレスがかかることはない。
【００５３】
これらのＣＮＴ基板Ｐ１、ＴＲＸ基板Ｐ２、ＢＢ０基板Ｐ３及びＢＢ１基板Ｐ４の、ＭＤＥユニット１１０に対するより具体的な取り付け構造を、図７のａ−ａ線、ｂ−ｂ線、ｃ−ｃ線、ｄ−ｄ線、及びｅ−ｅ線に沿った図８、図９、図１０、図１１及び図１２の各断面図に示す。
【００５４】
これらのＣＮＴ基板Ｐ１、ＴＲＸ基板Ｐ２、ＢＢ０基板Ｐ３及びＢＢ１基板Ｐ４のＭＤＥユニット１１０に対する着脱作業は、カバーヒンジ１１５１、１１５２及びケースヒンジ１１４１、１１４２によりＭＤＥケース１１４に開閉自在に取り付けられたＭＤＥカバー１１５を開放した状態で行われる。
【００５５】
ここで、増設用のＢＢ１基板Ｐ４は、ＭＤＥケース１１４に開閉自在に取り付けられたＭＤＥカバー１１５を開放した状態で、露呈する部位に配設しておくことが好ましい。すなわち、このような露呈位置にＢＢ１基板Ｐ４を配設するように構成することで、このＢＢ１基板Ｐ４のＭＤＥユニット１１０への着脱作業を容易に行えるようになる。
【００５６】
また、これらのＣＮＴ基板Ｐ１、ＴＲＸ基板Ｐ２、ＢＢ０基板Ｐ３及びＢＢ１基板Ｐ４の点検及び調整作業は、カバーヒンジ１１５４、１１５５によりＭＤＥカバー１１５に開閉自在に取り付けられた小カバー１１５３を開放した状態で行われる。なお、閉鎖された状態の小カバー１１５３は、保安性を確保するために、特殊な工具を使用しないと着脱不可能なネジを用いてＭＤＥカバー１１５に取り付けられている。
【００５７】
また、このＭＤＥユニット１１０は、図５及び図６に示すように、上述のＣＮＴ基板Ｐ１、ＴＲＸ基板Ｐ２、ＢＢ０基板Ｐ３及びＢＢ１基板Ｐ４のうち、最も大きなＣＮＴ基板Ｐ１がＭＤＥケース１１４の最奥部に配設されており、その他の比較的面積の小さな小サイズのプリント基板からなるＴＲＸ基板Ｐ２、ＢＢ０基板Ｐ３及びＢＢ１基板Ｐ４が、ＭＤＥケース１１４の中央部位に配設されている。
【００５８】
これにより、図９に示すように、小サイズのプリント基板からなるＴＲＸ基板Ｐ２、ＢＢ０基板Ｐ３及びＢＢ１基板Ｐ４とＭＤＥユニット１１０のＭＤＥケース１１４の内壁との間に、ＭＤＥファン１１３の通気流路が形成されるので、このＭＤＥファン１１３によるＭＤＥユニット１１０内部に配設されている各プリント基板を効率よく冷却することができ、各プリント基板の熱による不具合の発生を抑制することができる。
【００５９】
また、ＭＤＥユニット１１０には、例えば、放熱シートのような放熱部材を、このＭＤＥユニット１１０内に配設された状態のＣＮＴ基板Ｐ１、ＴＲＸ基板Ｐ２、ＢＢ０基板Ｐ３及びＢＢ１基板Ｐ４の少なくとも１つを冷却するように配設しておくことが望ましい。
【００６０】
これにより、マザーボード１１１の各マザーボードコネクタに対してＣＮＴ基板Ｐ１、ＴＲＸ基板Ｐ２、ＢＢ０基板Ｐ３及びＢＢ１基板Ｐ４のそれぞれのコネクタが接続された状態で、これらの各プリント基板の少なくとも１つが前記放熱部材により冷却されるので、各プリント基板の熱による不具合の発生をさらに抑制することができる。なお、前記放熱部材としては、ヒートパイプを備えたものを用いてもよい。このヒートパイプを用いることで、ＣＮＴ基板Ｐ１、ＴＲＸ基板Ｐ２、ＢＢ０基板Ｐ３、及びＢＢ１基板Ｐ４の放熱性をさらに向上させることができる。
【００６１】
ところで、上述のＩＦユニット１２０は、基地局装置１００を所定の設置部位に設置する際に、最初に位置決めされて定置される本体ユニットとして構成されている。また、その他のＭＤＥユニット１１０、ＦＡＮユニット１３０及びＴ−ＰＡユニット１４０は、本体ユニットであるＩＦユニット１２０に対して着脱自在な着脱ユニットとして構成されている。
【００６２】
すなわち、Ｔ−ＰＡユニット１４０は、図１３に示すように、その両側面に取り付けられている鎖状の取っ手１４０１を持ってＩＦユニット１２０の所定部位に装着された状態で、ＩＦユニット１２０に対してネジ止めされている。また、このＴ−ＰＡユニット１４０には、その着脱時の落下防止のためのチェーン１４０２が取り付けられている。このチェーン１４０２は、その自由端にフック１４０３が設けられており、このフック１４０３をＩＦユニット１２０の懸架ピン１２２０に懸架することで、Ｔ−ＰＡユニット１４０の着脱時の落下を防止する。
【００６３】
ＭＤＥユニット１１０は、図２、図３及び図４に示すように、その一側面に形成されたＭＤＥユニットヒンジピン１１４３、１１４４を、ＩＦユニット１２０の同じ側の側面に形成されたＩＦユニットヒンジ１２０１、１２０２に対して係脱させることによって、ＩＦユニット１２０に対して開閉自在かつ着脱自在に取り付けられている。
【００６４】
また、ＭＤＥユニット１１０は、図１４及び図１５に示すように、そのＭＤＥユニットヒンジピン１１４４が、ＩＦユニット１２０のＩＦユニットヒンジ１２０２に係合した状態で、このＭＤＥユニットヒンジピン１１４４の先端部にＩＦユニット１２０に取り付けられた落下防止キャップ１４０４が装着されるようになっている。これにより、ＭＤＥユニット１１０のＩＦユニット１２０からの不用意な脱落が防止され、ＭＤＥユニット１１０の開閉作業時における安全性が確保される。
【００６５】
このようにして、ＭＤＥユニット１１０が、ＩＦユニット１２０に対して開閉自在に装着されて閉鎖されると、このＭＤＥユニット１１０の各コネクタＣ１１、Ｃ１２、Ｃ１３がＩＦユニット１２０の各コネクタＣ１４、Ｃ１５、Ｃ１６にそれぞれ接続される。
【００６６】
なお、このＩＦユニット１２０の各コネクタＣ１４、Ｃ１５、Ｃ１６の側部には、図１６に示すように、ＩＦユニット１２０内に配設されている機器に外部ケーブル１５０を接続する際の作業を容易化するための小窓１２０４が形成されている。この小窓１２０４は、ＩＦユニット１２０内に配設されている機器に外部ケーブル１５０を接続した後、図１３、図１４及び図１５に示すように、保護カバー１２０５により閉鎖される。これにより、ＩＦユニット１２０の設置部位への取付時やＭＤＥユニット１１０の開閉時に、作業者が誤って外部ケーブル１５０の導線に触れて感電することがなくなる。
【００６７】
ＦＡＮユニット１３０は、図１７に示すように、ＩＦユニット１２０のＭＤＥユニット１１０が装着される部位の上方に迫り出すように設けられた熱交換機収容部としてのＦＡＮユニット収容部１２０６に対して着脱自在に収容されるようになっている。
【００６８】
ＦＡＮユニット収容部１２０６は、図１４及び図１５に示すように、ＦＡＮユニット１３０が収容された状態では、ＦＡＮカバー１２０３によって閉鎖されている。このＦＡＮカバー１２０３をＦＡＮユニット収容部１２０６に固定するネジは、前述の小カバー１１５３を閉鎖するネジと同様の特殊ネジが用いられている。また、ＦＡＮカバー１２０３には、図１７に示すように、ＦＡＮユニット収容部１２０６を解放した状態で、その不用意な閉鎖動を阻止するための防護チェーンの自由端に設けられた止めネジ１２０８が、ＩＦユニット１２０の側面のネジ孔１２０９に螺合されるようになっている。これにより、ＦＡＮユニット１３０をＦＡＮユニット収容部１２０６に対して着脱される際に、ＦＡＮカバー１２０３が不用意に閉鎖されて作業者が指や手を挟まれたりすることがなくなる。
【００６９】
このＦＡＮユニット収容部１２０６に対するＦＡＮユニット１３０の着脱操作は、ＦＡＮユニット１３０の取っ手１３０１を持って行われる。ＦＡＮユニット収容部１２０６の両側部には、図１８に示すように、チャンネル状に形成されたガイドレール１２１０が設けられている。一方、ＦＡＮユニット１３０の両側部には、ガイドレール１２１０に勘合するＦＡＮユニットガイド１３０２が設けられている。
【００７０】
また、ＦＡＮユニット収容部１２０６のガイドレール１２１０は、ＦＡＮユニット収容部１２０６の手前側にせり上がるように配設されている。これにより、ガイドレール１２１０にＦＡＮユニット１３０のＦＡＮユニットガイド１３０２を勘合させると、図１９に示すように、ＦＡＮユニット１３０が自重によってＦＡＮユニット収容部１２０６内に収容される。ＦＡＮユニット収容部１２０６に収容されたＦＡＮユニット１３０は、その接続端子１３０３に端子基板１２１から延出した接続端子１２１１が接続される（図２０参照）。
【００７１】
一方、ＭＤＥユニット１１０の開閉側のＭＤＥケース１１４の側面には、図２１、図２２及び図２３に示すように、ＭＤＥカバー１１５が閉鎖された状態で、このＭＤＥカバー１１５をＭＤＥケース１１４に対して施錠する施錠手段としてのＭＤＥカバーロック板１１４５が配設されている。
【００７２】
このＭＤＥカバーロック板１１４５は、図２２に示すように、ＭＤＥカバー１１５を閉じた状態で、ＭＤＥカバーロックキー１１４６をＭＤＥカバーロック板１１４５の鍵穴１１４７に差し込んで回転させることにより、ＭＤＥカバー１１５をＭＤＥケース１１４に施錠する。これにより、ＭＤＥユニット１１０の保安性が確保される。なお、このＭＤＥカバーロック板１１４５の鍵穴１１４７は、この鍵穴１１４７からの雨水や埃の浸入を防止するために、図２３に示すように、施錠後に鍵穴カバー１１４８によって閉鎖されるようになっている。
【００７３】
これと同様に、ＩＦユニット１２０の開閉側の側面には、図２３、図２４及び図２５に示すように、ＭＤＥユニット１１０が閉鎖された状態で、このＭＤＥユニット１１０をＩＦユニット１２０に対して施錠する施錠手段としてのＭＤＥユニットロック板１２１２が配設されている。
【００７４】
このＭＤＥユニットロック板１２１２は、図２４に示すように、ＭＤＥユニット１１０を閉じた状態で、ＭＤＥユニットロックキー１２１３をＭＤＥユニットロック板１２１２の鍵穴１２１４に差し込んで回転させることにより、ＭＤＥユニット１１０をＩＦユニット１２０に施錠する。これにより、ＭＤＥユニット１１０、ＩＦユニット１２０及びＴ−ＰＡユニット１４０の保安性が確保される。なお、このＭＤＥユニットロック板１２１２の鍵穴１２１４は、この鍵穴１２１４からの雨水や埃の浸入を防止するために、図２５に示すように、施錠後に鍵穴カバー１２１５によって閉鎖されるようになっている。
【００７５】
このように構成された基地局装置１００の本体であるＩＦユニット１２０の背面には、図２６、図２７及び図２８に示すように、このＩＦユニット１２０を所定の設置部位（ここでは電柱などのポール）に固定する際に用いる本体固定部材１６０、１６１、１６２の取付部１２１６、１２１７が、前記本体ユニットに形成されている。
【００７６】
これにより、ＩＦユニット１２０は、図２７及び図２８に示すように、その背面の取付部１２１６、１２１７に、本体固定部材１６０、１６１、１６２がボルト１６３、１６４により固定した後、これらの本体固定部材１６１、１６２に固定バンド１６５、１６６を通し、この固定バンド１６５、１６６を前述のポールに巻き付けて締め付けることにより、このポールにＩＦユニット１２０が固定される。
【００７７】
上述のように構成された基地局装置１００のＩＦユニット１２０、ＭＤＥユニット１１０、ＦＡＮユニット１３０及びＴ−ＰＡユニット１４０は、それぞれ一人で持ち運び可能な重量及び大きさとなるように構成されている。
【００７８】
ここで、上述の「一人で持ち運び可能な重量及び大きさ」は、作業者の年齢や健康状態及び身体能力等の違いによって個人差があるため特定することは難しいが、一般的には、例えば、成人作業者の平均的な値として、その重量を２０ｋｇ以下とし、大きさ（高さ、幅及び奥行き）を６００ｍｍ以下とすることができる。
【００７９】
本実施の形態に係る基地局装置１００のマザーボード１１１は、上述したように、ＣＮＴ基板Ｐ１、ＴＲＸ基板Ｐ２及びＢＢ１基板Ｐ４のそれぞれのコネクタの、マザーボード１１１の各コネクタに対する着脱方向と、ＭＤＥユニット１１０のＭＤＥケース１１４に対するＣＮＴ基板Ｐ１、ＴＲＸ基板Ｐ２及びＢＢ１基板Ｐ４の取り付け方向とが、同一方向になるように構成されている。従って、この基地局装置１００によれば、マザーボード１１１の各コネクタに、ＣＮＴ基板Ｐ１、ＴＲＸ基板Ｐ２及びＢＢ１基板Ｐ４のそれぞれのコネクタを接続した状態で、ＣＮＴ基板Ｐ１、ＴＲＸ基板Ｐ２及びＢＢ１基板Ｐ４のそれぞれにストレスをかけることなく、ＣＮＴ基板Ｐ１、ＴＲＸ基板Ｐ２及びＢＢ１基板Ｐ４をＭＤＥユニット１１０のＭＤＥケース１１４に取り付けることができる。
【００８０】
このように、上述のマザーボード１１１を用いた場合には、これに取り付けられたＣＮＴ基板Ｐ１、ＴＲＸ基板Ｐ２及びＢＢ１基板Ｐ４のプリント基板のＭＤＥユニット１１０がＭＤＥケース１１４に取り付けられる最にストレスによる不具合を起こすことがなくなる。従って、この基地局装置１００のマザーボード１１１は、新たなプリント基板を交換して取り付けた際に、交換したばかりのプリント基板が前記ストレスにより再び同じ不具合を引き起こすことがなくなる。
【００８１】
また、この基地局装置１００のマザーボード１１１は、増設用のＢＢ１基板Ｐ４が、ＭＤＥケース１１４に開閉自在に取り付けられたＭＤＥカバー１１５を開放した状態で、露呈する部位に配設されるように構成されている。このような露呈位置にＢＢ１基板Ｐ４が配設されることで、このＢＢ１基板Ｐ４のＭＤＥユニット１１０への着脱作業を容易に行えるようになる。
【００８２】
この基地局装置１００は、上述のような構成のマザーボード１１１を備えているので、ＣＮＴ基板Ｐ１、ＴＲＸ基板Ｐ２及びＢＢ１基板Ｐ４の不具合の発生し難い通信システムを構成することができる。
【００８３】
また、この基地局装置１００は、図９に示すように、小サイズのプリント基板からなるＴＲＸ基板Ｐ２、ＢＢ０基板Ｐ３及びＢＢ１基板Ｐ４とＭＤＥユニット１１０のＭＤＥケース１１４の内壁との間に、ＭＤＥファン１１３の通気流路が形成されるので、このＭＤＥファン１１３によるＭＤＥユニット１１０内部に配設されている各プリント基板を効率よく冷却することができ、各プリント基板の熱による不具合の発生を抑制することができる。
【００８４】
また、この基地局装置１００は、前述の基板プレート１１６のような放熱部材を、このＭＤＥユニット１１０内に配設された状態のＣＮＴ基板Ｐ１、ＴＲＸ基板Ｐ２、ＢＢ０基板Ｐ３及びＢＢ１基板Ｐ４に対してそれぞれ接触するように配設しておくことができ、各プリント基板の熱による不具合の発生をさらに抑制することができる。
【００８５】
また、この基地局装置１００は、前記放熱部材として、ヒートパイプを用いることで、ＣＮＴ基板Ｐ１、ＴＲＸ基板Ｐ２、ＢＢ０基板Ｐ３及びＢＢ１基板Ｐ４の放熱性をさらに向上させることができる。
【００８６】
【発明の効果】
以上説明したように、本発明によれば、マザーボードコネクタにプリント基板コネクタを接続した状態で、プリント基板にストレスをかけることなく、このプリント基板を筐体に取り付けることができる。
【図面の簡単な説明】
【図１】本発明の一実施の形態に係る基地局装置の構成を示すブロック図
【図２】一実施の形態に係る基地局装置の外観を示す斜視図
【図３】一実施の形態に係る基地局装置の各ユニットを分解した状態の外観を示す斜視図
【図４】一実施の形態に係る基地局装置のＭＤＥユニットを分解した状態の外観を示す斜視図
【図５】一実施の形態に係る基地局装置のＭＤＥユニットの電子回路基板を分解した状態の外観を示す斜視図
【図６】一実施の形態に係る基地局装置のＭＤＥユニットの電子回路基板を分解した状態の図５の背面側からの外観を示す斜視図
【図７】一実施の形態に係る基地局装置の正面図
【図８】図７のａ−ａ線に沿った断面図
【図９】図７のｂ−ｂ線に沿った断面図
【図１０】図７のｃ−ｃ線に沿った断面図
【図１１】図７のｄ−ｄ線に沿った断面図
【図１２】図７のｅ−ｅ線に沿った断面図
【図１３】一実施の形態に係る基地局装置のＩＦユニットへのＴ−ＰＡユニットの取付状態を示す分解斜視図
【図１４】一実施の形態に係る基地局装置のＩＦユニットへのＭＤＥユニットの取付状態を示す分解斜視図
【図１５】一実施の形態に係る基地局装置のＩＦユニットに対してＭＤＥユニットを取り付けた状態を示す斜視図
【図１６】一実施の形態に係る基地局装置のＩＦユニットのコネクタ部の拡大斜視図
【図１７】一実施の形態に係る基地局装置のＦＡＮカバーを解放してＦＡＮユニットを取り付ける状態を示す斜視図
【図１８】一実施の形態に係る基地局装置のＦＡＮカバーを解放してＦＡＮユニット収容部にＦＡＮユニットを取り付ける状態を示す要部拡大斜視図
【図１９】一実施の形態に係る基地局装置のＦＡＮカバーを解放してＦＡＮユニット収容部にＦＡＮユニットを取り付けた状態を示す要部拡大斜視図
【図２０】一実施の形態に係る基地局装置のＦＡＮカバーを解放してＦＡＮユニット収容部に取り付けられたＦＡＮユニットを端子基板に接続する状態を示す要部拡大斜視図
【図２１】一実施の形態に係る基地局装置のＭＤＥユニットのＭＤＥケースとＭＤＥカバーとを施錠する前の状態を示す斜視図
【図２２】一実施の形態に係る基地局装置のＭＤＥユニットのＭＤＥケースとＭＤＥカバーとを施錠する際の状態を示す斜視図
【図２３】一実施の形態に係る基地局装置のＭＤＥユニットのＭＤＥケースとＭＤＥカバーとを施錠した後、及びＭＤＥユニットとＩＦユニットとを施錠する前の状態を示す斜視図
【図２４】一実施の形態に係る基地局装置のＭＤＥユニットのＭＤＥケースとＭＤＥカバーとを施錠した後、及びＭＤＥユニットとＩＦユニットとを施錠する際の状態を示す斜視図
【図２５】一実施の形態に係る基地局装置のＭＤＥユニットのＭＤＥケースとＭＤＥカバーとを施錠した後、及びＭＤＥユニットとＩＦユニットとを施錠した後の状態を示す斜視図
【図２６】一実施の形態に係る基地局装置の背面を示す斜視図
【図２７】一実施の形態に係る基地局装置の背面に本体固定部材を取り付ける前の状態を示す斜視図
【図２８】一実施の形態に係る基地局装置の背面に本体固定部材を取り付けた後の状態を示す斜視図
【図２９】従来の基地局装置の外観を示す概略斜視図
【符号の説明】
１００  基地局装置
１１０  ＭＤＥユニット
１１１  マザーボード
１１２  端子基板
１１３  ＭＤＥファン
１１４  ＭＤＥケース
１１５  ＭＤＥカバー
１１６  基板プレート
１２０  ＩＦユニット
１２１  端子基板
１２２  電源装置
１２３  共用器
１３０  ＦＡＮユニット
１４０  Ｔ−ＰＡユニット
１５０  外部ケーブル
１６０、１６１、１６２  本体固定部材
１８０  シール部材
１１４３、１１４４  ＭＤＥユニットヒンジピン
１２０１、１２０２  ＩＦユニットヒンジ
１２０３  ＦＡＮカバー
１２０６  ＦＡＮユニット収容部
１２１２  ＭＤＥユニットロック板
１２１３  ＭＤＥユニットロックキー
１２１６、１２１７  取付部
１４０４  落下防止キャップ
Ｃ１〜Ｃ２２  コネクタ
Ｐ１  ＣＮＴ基板
Ｐ２  ＴＲＸ基板
Ｐ３  ＢＢ０基板
Ｐ４  ＢＢ１基板
【図１】
2005005542.tif 000003
【図２】
2005005542.tif 000004
【図３】
2005005542.tif 000005
【図４】
2005005542.tif 000006
【図５】
2005005542.tif 000007
【図６】
2005005542.tif 000008
【図７】
2005005542.tif 000009
【図８】
2005005542.tif 000010
【図９】
2005005542.tif 000011
【図１０】
2005005542.tif 000012
【図１１】
2005005542.tif 000013
【図１２】
2005005542.tif 000014
【図１３】
2005005542.tif 000015
【図１４】
2005005542.tif 000016
【図１５】
2005005542.tif 000017
【図１６】
2005005542.tif 000018
【図１７】
2005005542.tif 000019
【図１８】
2005005542.tif 000020
【図１９】
2005005542.tif 000021
【図２０】
2005005542.tif 000022
【図２１】
2005005542.tif 000023
【図２２】
2005005542.tif 000024
【図２３】
2005005542.tif 000025
【図２４】
2005005542.tif 000026
【図２５】
2005005542.tif 000027
【図２６】
2005005542.tif 000028
【図２７】
2005005542.tif 000029
【図２８】
2005005542.tif 000030
【図２９】
2005005542.tif 000031